【手続補正書】
【提出日】平成17年9月27日(2005.9.27)
【手続補正１】
【補正対象書類名】明細書
【補正対象項目名】発明の名称
【補正方法】変更
【補正の内容】
【発明の名称】画像処理方法、画像処理装置、プログラム及び記録媒体
【手続補正２】
【補正対象書類名】明細書
【補正対象項目名】特許請求の範囲
【補正方法】変更
【補正の内容】
【特許請求の範囲】
【請求項１】
所定単位毎に第１の画像特性情報を含む画像データを前記所定単位毎に分割する分割工程と、
分割された前記所定単位毎の画像データを圧縮する圧縮工程と、
圧縮された画像データが所定量以下の場合、前記第１の画像特性情報を含めた画像データを記憶装置に記憶し、圧縮された画像データが所定量以上の場合、前記第１の画像特性情報を除いた画像データを前記記憶装置に記憶する記憶工程と、
前記記憶装置に記憶された圧縮後の画像データを伸長する伸長工程と、
第２の画像特性情報を指定する指定工程と、
前記画像データの出力時に、前記第１の画像特性情報を含まずに伸長された画像データの画像特性情報として、前記第２の画像特性情報を設定する置換工程と、
伸長された前記画像データを出力する出力工程と
を有することを特徴とする画像処理方法。
【請求項２】
前記第２の画像特性情報が、前記画像データの前記所定単位ごとに設定されたヘッダ情報に含まれていることを特徴とする請求項１に記載の画像処理方法。
【請求項３】
前記第２の画像特性情報が、前記画像データにおける画像特性情報の代表値であることを特徴とする請求項２に記載の画像処理方法。
【請求項４】
前記記憶装置に記憶される画像データのデータ量をカウントするカウント工程と、カウントされた前記画像データのデータ量が所定量を超えたか否かを判定する判定工程と、前記画像データのデータ量が所定量を超えたと判定された場合、前記第１の画像特性情報の前記記憶装置への記憶を停止する停止工程とをさらに有することを特徴とする請求項１から３までのいずれか１項に記載の画像処理方法。
【請求項５】
圧縮された前記画像データのデータ量が所定量を超えたことを示すフラグを出力するフラグ出力工程をさらに有することを特徴とする請求項４に記載の画像処理方法。
【請求項６】
第２の画像特性情報を記憶する画像特性情報記憶装置を備える画像処理装置における画像処理方法であって、
所定単位毎に第１の画像特性情報を含む画像データを前記所定単位毎に分割する分割工程と、
分割された前記所定単位毎の画像データを圧縮する圧縮工程と、
圧縮された画像データが所定量以下の場合、前記第１の画像特性情報を含めた画像データを記憶装置に記憶し、圧縮された画像データが所定量以上の場合、前記第１の画像特性情報を除いた画像データを前記記憶装置に記憶する記憶工程と、
前記記憶装置に記憶された圧縮後の画像データを伸長する伸長工程と、
前記画像データの出力時に、前記第１の画像特性情報を含まずに伸長された画像データの画像特性情報として、新たな画像特性情報を設定する置換工程と、
前記新たな画像特性情報として、前記画像特性情報記憶装置に記憶された前記第２の画像特性情報を用いる動作モード、又は、前記画像データの前記所定単位毎に設定されたヘッダ情報に含まれる第３の画像特性情報を用いる動作モードのいずれかの動作モードを指定する指定工程と、
伸長された前記画像データを出力する出力工程と
を有することを特徴とする画像処理方法。
【請求項７】
所定単位毎に第１の画像特性情報を含む画像データを前記所定単位毎に分割する分割工程と、
分割された前記所定単位毎の画像データを圧縮する圧縮工程と、
圧縮された画像データを記憶装置に記憶する記憶工程と、
前記記憶装置に記憶された圧縮後の画像データを伸長する伸長工程と、
複数ページの画像データを１ページに結合して出力する際の結合前のページを設定するための第２の画像特性情報を指定する指定工程と、
前記画像データの出力時に、伸長された前記画像データの画像特性情報として、前記第２の画像特性情報を設定する置換工程と、
伸長された前記画像データを出力する出力工程と
を有することを特徴とする画像処理方法。
【請求項８】
前記第２の画像特性情報が、
ラスタ画像及びフォントデータを含むデータタイプの種類を識別するためのデータタイプ識別情報と、
文字データ又は写真データのいずれであるのかを識別するための画像タイプ識別情報と、
グレースケールデータ又はカラーデータのいずれであるのかを識別するため色識別情報と
を含むことを特徴とする請求項７に記載の画像処理方法。
【請求項９】
前記第２の画像特性情報が、
複数ページの画像データを１枚の用紙に出力する際に結合前のページを識別するための面情報と、
各画像データが連続階調データ又は面積階調で形成された画像データのいずれであるのかを識別するための画像タイプ識別情報と、
前記出力手段の動作モードを識別する情報と
を含むことを特徴とする請求項７に記載の画像処理方法。
【請求項１０】
所定単位毎に第１の画像特性情報を含む画像データを入力する入力手段と、
前記入力手段によって入力された前記画像データを前記所定単位毎に分割する分割手段と、
前記分割手段によって分割された前記所定単位毎の画像データを圧縮する圧縮手段と、
圧縮された画像データを記憶し、該圧縮された画像データが所定量以上の場合、前記第１の画像特性情報を除いた画像データを記憶する記憶手段と、
前記記憶手段に記憶された圧縮後の画像データを伸長する伸長手段と、
伸長された前記画像データを出力する出力手段と、
第２の画像特性情報を指定する指定手段と、
前記出力手段による前記画像データの出力時に、前記第１の画像特性情報を含まずに伸長された画像データの画像特性情報として、前記第２の画像特性情報を設定する置換手段と
を備えることを特徴とする画像処理装置。
【請求項１１】
前記第２の画像特性情報が、前記画像データの前記所定単位ごとに設定されたヘッダ情報に含まれていることを特徴とする請求項１０に記載の画像処理装置。
【請求項１２】
前記第２の画像特性情報が、前記画像データにおける画像特性情報の代表値であることを特徴とする請求項１１に記載の画像処理装置。
【請求項１３】
前記記憶手段に記憶される画像データのデータ量をカウントするカウント手段と、
前記カウント手段によりカウントされた前記画像データのデータ量が所定量を超えたか否かを判定する判定手段と、
前記判定手段において前記画像データのデータ量が所定量を超えたと判定された場合、前記第１の画像特性情報の前記記憶手段への記憶を停止する停止手段と
をさらに備えることを特徴とする請求項１０から１２までのいずれか１項に記載の画像処理装置。
【請求項１４】
圧縮された前記画像データのデータ量が所定量を超えたことを示すフラグを出力するフラグ出力手段をさらに備えることを特徴とする請求項１３に記載の画像処理装置。
【請求項１５】
所定単位毎に第１の画像特性情報を含む画像データを入力する入力手段と、
前記入力手段によって入力された前記画像データを前記所定単位毎に分割する分割手段と、
前記分割手段によって分割された前記所定単位毎の画像データを圧縮する圧縮手段と、
圧縮された画像データを記憶し、該圧縮された画像データが所定量以上の場合、前記第１の画像特性情報を除いた画像データを記憶する記憶手段と、
前記記憶手段に記憶された圧縮後の画像データを伸長する伸長手段と、
伸長された前記画像データを出力する出力手段と、
前記出力手段による前記画像データの出力時に、前記第１の画像特性情報を含まずに伸長された画像データの画像特性情報として、新たな画像特性情報を設定する置換手段と、
第２の画像特性情報を記憶する画像特性情報記憶手段と、
前記置換手段で設定される前記新たな画像特性情報として、前記画像特性情報記憶手段に記憶された前記第２の画像特性情報を用いる動作モード、又は、前記画像データの前記所定単位毎に設定されたヘッダ情報に含まれる第３の画像特性情報を用いる動作モードのいずれかの動作モードを指定する指定手段と
を備えることを特徴とする画像処理装置。
【請求項１６】
前記出力手段が、媒体上に前記画像データを形成する画像形成装置であることを特徴とする請求項１０から１５までのいずれか１項に記載の画像処理装置。
【請求項１７】
前記入力手段が、原稿上に形成された画像を入力して前記画像データを生成する画像読取装置であることを特徴とする請求項１０から１６までのいずれか１項に記載の画像処理装置。
【請求項１８】
所定単位毎に第１の画像特性情報を含む画像データを入力する入力手段と、
前記入力手段によって入力された前記画像データを前記所定単位毎に分割する分割手段と、
前記分割手段によって分割された前記所定単位毎の画像データを圧縮する圧縮手段と、
圧縮された画像データを記憶する記憶手段と、
前記記憶手段に記憶された圧縮後の画像データを伸長する伸長手段と、
伸長された前記画像データを出力する出力手段と、
複数ページの画像データを１ページに結合して出力する際の結合前のページを設定するための第２の画像特性情報を指定する指定手段と、
前記出力手段による前記画像データの出力時に、伸長された前記画像データの画像特性情報として、前記第２の画像特性情報を設定する置換手段と
を備えることを特徴とする画像処理装置。
【請求項１９】
前記第２の画像特性情報が、
ラスタ画像及びフォントデータを含むデータタイプの種類を識別するためのデータタイプ識別情報と、
文字データ又は写真データのいずれであるのかを識別するための画像タイプ識別情報と、
グレースケールデータ又はカラーデータのいずれであるのかを識別するため色識別情報と
を含むことを特徴とする請求項１８に記載の画像処理装置。
【請求項２０】
前記第２の画像特性情報が、
複数ページの画像データを１枚の用紙に出力する際に結合前のページを識別するための面情報と、
各画像データが連続階調データ又は面積階調で形成された画像データのいずれであるのかを識別するための画像タイプ識別情報と、
前記出力手段の動作モードを識別する情報と
を含むことを特徴とする請求項１８に記載の画像処理装置。
【請求項２１】
コンピュータに、
所定単位毎に第１の画像特性情報を含む画像データを前記所定単位毎に分割する分割手順と、
分割された前記所定単位毎の画像データを圧縮する圧縮手順と、
圧縮された画像データが所定量以下の場合、前記第１の画像特性情報を含めた画像データを記憶装置に記憶し、圧縮された画像データが所定量以上の場合、前記第１の画像特性情報を除いた画像データを前記記憶装置に記憶する記憶手順と、
前記記憶装置に記憶された圧縮後の画像データを伸長する伸長手順と、
第２の画像特性情報を指定する指定手順と、
前記画像データの出力時に、前記第１の画像特性情報を含まずに伸長された画像データの画像特性情報として、前記第２の画像特性情報を設定する置換工程と、
伸長された前記画像データを出力する出力手順と
を実行させるためのプログラム。
【請求項２２】
請求項２１に記載のプログラムを格納したことを特徴とするコンピュータ読み取り可能な記録媒体。
【手続補正３】
【補正対象書類名】明細書
【補正対象項目名】０００６
【補正方法】変更
【補正の内容】
【０００６】
本発明は、このような事情を考慮してなされたものであり、動作モードに応じて適正な画像特性情報を提供することができ、付加する画像特性情報の優先度を任意に切り替えて、より好ましい画像処理を実現することができる画像処理方法、画像処理装置、プログラム及び記録媒体を提供することを目的とする。